(57)【要約】【課題】同じランプを使用する場合でも、必要光量の異なる装置システムに対応することができ、ランプの温度特性に起因した光量変動に対して効率的で安定した光量調整が可能な画像読取装置及び画像形成装置を提供する。【解決手段】ランプ点灯制御の制御回路は、光源（ランプ）２０１、光源２０１を点灯するためのインバータ回路２０２、入力電流を検出する電流検出部２０３、電流検出部からの出力をアナログ／デジタル変換するＡ／Ｄ部２０４、入力電流データと目標電流データを比較する電流データ比較部２０５、及び１ライン中の休止期間を切り換える休止期間切換部２０６から構成される。当該制御回路は、電流データ比較部２０５にて目標値と電流データとが等しい比較結果が得られると、インバータ回路２０２に入力されている休止期間の切換動作が休止期間切換部２０６によりなされ、ランプ休止期間の変更を行う。【選択図】図８
2008070479.tif 000002
【特許請求の範囲】
【請求項１】
露光ランプと、前記露光ランプで照射された光学的な原稿情報を電気信号に変換する光電変換素子と、前記露光ランプを点灯させるためのインバータ回路と、前記インバータ回路に入力する露光ランプ点灯信号、前記露光ランプを点灯するためのパルスを制御するパルス制御信号、及び前記光電変換素子の１ライン読取中における前記露光ランプの点灯パルス休止期間を制御する休止期間制御信号の各信号の制御を行う制御回路と、前記インバータ回路の入力電流を検出する電流検出手段と、を有する画像読取装置であって、
前記制御回路は、前記電流検出手段により検出された入力電流のデータに基づいて、前記点灯パルス休止期間を変更して、前記露光ランプの光量を変更する制御を行うことを特徴とする画像読取装置。
【請求項２】
前記制御回路は、前記露光ランプの最小光量での点灯の立ち上がり時には、前記電流検出手段により検出された入力電流のデータに基づいて、前記点灯パルス休止期間を最小光量での点灯パルス休止期間より短くする制御を行うことを特徴とする請求項１に記載の画像読取装置。
【請求項３】
前記制御回路は、前記露光ランプの最大光量での点灯の立ち上がり時には、前記電流検出手段により検出された入力電流のデータに基づいて、前記点灯パルス休止期間を最大光量での点灯パルス休止期間より長くする制御を行うことを特徴とする請求項１又は２に記載の画像読取装置。
【請求項４】
前記制御回路は、前記露光ランプの点灯立ち上がり時以降は、前記電流検出手段により検出される入力電流のデータが一定の値となるように、前記点灯パルス休止期間を変更する制御を行うことを特徴とする請求項２又は３に記載の画像読取装置。
【請求項５】
前記制御回路は、前記電流検出手段により検出された入力電流のデータに基づいて、前記点灯パルス休止期間を数段階にわたって変更する制御を行うことを特徴とする請求項１から４のいずれか１項に記載の画像読取装置。
【請求項６】
前記制御回路は、前記電流検出手段により検出された入力電流のデータと予め設定された入力電流の目標値との比較結果に基づいて、前記点灯パルス休止期間を切り換える制御を行うことを特徴とする請求項１から５のいずれか１項に記載の画像読取装置。
【請求項７】
前記制御回路は、前記電流検出手段により検出された入力電流のデータと予め設定された入力電流の目標値とから求められた差分に基づいて、前記差分に対応する前記点灯パルス休止期間を演算する制御を行うことを特徴とする請求項１から５のいずれか１項に記載の画像読取装置。
【請求項８】
前記制御回路は、前記光電変換素子の１ライン読取中の有効画像領域以外の領域において、前記点灯パルス休止期間を変更する制御を行うことを特徴とする請求項１から７のいずれか１項に記載の画像読取装置。
【請求項９】
前記電流検出手段により検出される入力電流のデータが安定してから原稿の読取りを開始することを特徴とする請求項１から８のいずれか１項に記載の画像読取装置。
【請求項１０】
請求項１から９のいずれか１項に記載の画像読取装置を搭載した画像形成装置。
【発明の詳細な説明】
【技術分野】
【０００１】
本発明は、画像読取装置及び画像形成装置に関し、特に、原稿を露光ランプで照射してその反射光を光電変換素子で受光する光学制御を行うイメージスキャナ、ＰＰＣ、ファクシミリ等の画像読取装置及びこれを搭載した画像形成装置に関するものである。
【背景技術】
【０００２】
従来、画像読取装置において、各ラインの読取周期（ライン読取周期）と、画像読取装置の読取用光源のパルス発光周期（ランプ点灯周期）とが非同期であることは知られている。ライン読取周期とランプ点灯周期とが非同期であると、１ライン周期に対してパルス発光周期が十分に小さくない場合には、１ライン周期中に入る発光パルス数が各ラインでバラツキを起こし、そのバラツキにより各ラインの積算光量に差が生じるため、副走査方向に読取画像の色むらが発生していた。
【０００３】
これに対し、例えば特許文献１では、ランプに給電する給電装置のインバータの発振器を周波数可変発振器とし、この周波数可変発振器の発振信号を外部同期信号に位相ロックするように周波数可変発振器を制御することにより、１ライン周期中に入る発光パルス数を一致させ、光量変動を伴うことなく誘電体バリア放電蛍光ランプを外部同期信号に同期させてパルス発光させる光源装置が提案されている。
【０００４】
また、例えば特許文献２では、複数の放電灯に対し相互に位相をずらした、また、位相のずれが等しい間隔となるように複数の放電灯に対する電圧を発生させる放電灯点灯装置が開示されている。
【特許文献１】特開２０００−３２３２９２号公報
【特許文献２】特開２００１−２７３９９６号公報
【発明の開示】
【発明が解決しようとする課題】
【０００５】
ところで、従来の画像読取装置における照明装置については、装置システムの様々な読取速度、受光素子への必要光量に対して、装置ごとに固有照度の光源を個別対応で製作していたため、以下のような問題を抱えていた。すなわち、読取モード（モノクロ／カラー）で異なる読取速度に対応できず、光電素子飽和を防ぐために速度の遅い装置（一般的にはカラー）に合わせた光学設計を行った結果、読取速度の早いシステムでは必要光量不足が生じ、Ｓ／Ｎの劣化が懸念されるという問題である。また、必要光量の異なる装置システムで同じ光源を使用することができないため、部品種類数の膨大が進み、部品管理が困難になるという問題である。
【０００６】
他方、別の方法として、同じランプを使用する場合は、メカシェーディング板を用いて光量をカットすることになるが、光電素子に対して過度な光を遮断するため、無駄なエネルギーを消費している。
【０００７】
また、ランプの温度特性に起因した以下の不具合が生じていた。まず、高い光量で調整してあるランプを低い光量で点灯させた場合には、必要光量に対して徐々に光量が上昇していくという不具合が発生する。逆に、低い光量で調整したランプを高い光量で点灯させた場合には、必要光量に対してオーバーシュートが大きくなり、またオーバーシュートが治まってから光量が安定するまでに時間がかかるという不具合が生じる。このように、ランプ温度が一定になるまで照度が安定せず、１スキャンごとの濃度ムラとなり、読取画像として問題となることがあった。
【０００８】
そこで、本発明は、上述した事情に鑑みてなされたものであり、同じランプを使用する場合でも、必要光量の異なる装置システムに対応することができ、ランプの温度特性に起因した光量変動に対して効率的で安定した光量調整が可能な画像読取装置及び画像形成装置を提供することを目的とする。
【課題を解決するための手段】
【０００９】
本発明は、インバータに入力するランプ点灯制御信号の休止期間をシステム側にて変更することにより、光量を調整できるようにするものである。また、高い光量で調整したランプを低い光量で点灯させる場合には、立ち上がり時にランプ点灯制御信号の休止期間を短くすることで、光量立ち上がりを早くして早期に安定光量となるようにするものである。逆に、低い光量で調整したランプを高い光量で点灯させる場合には、立ち上がり時にランプ点灯制御信号の休止期間を長くすることで、オーバーシュートをなくし、早期に安定光量となるようにするものである。そして、インバータ入力電流を見て、ランプ点灯制御信号のパルス休止期間を制御することで、ランプ光量を早期に安定させるものである。さらに、有効な画像データに影響が出ないように、ランプ点灯制御信号の休止期間の変更タイミングについて、画像読取１ライン中の有効画像領域以外の領域で変更を行うように制御するものである。加えて、濃度ムラを軽減するため前記電流検出手段からのデータが安定してから読取りを開始するものである。
【００１０】
すなわち、上述した目的を達成するために、請求項１記載の発明は、露光ランプと、前記露光ランプで照射された光学的な原稿情報を電気信号に変換する光電変換素子と、前記露光ランプを点灯させるためのインバータ回路と、前記インバータ回路に入力する露光ランプ点灯信号、前記露光ランプを点灯するためのパルスを制御するパルス制御信号、及び前記光電変換素子の１ライン読取中における前記露光ランプの点灯パルス休止期間を制御する休止期間制御信号の各信号の制御を行う制御回路と、前記インバータ回路の入力電流を検出する電流検出手段と、を有する画像読取装置であって、前記制御回路は、前記電流検出手段により検出された入力電流のデータに基づいて、前記点灯パルス休止期間を変更して、前記露光ランプの光量を変更する制御を行うことを特徴とする。
【００１１】
また、請求項２記載の発明は、請求項１に記載の画像読取装置において、前記制御回路は、前記露光ランプの最小光量での点灯の立ち上がり時には、前記電流検出手段により検出された入力電流のデータに基づいて、前記点灯パルス休止期間を最小光量での点灯パルス休止期間より短くする制御を行うことを特徴とする。
【００１２】
また、請求項３記載の発明は、請求項１又は２に記載の画像読取装置において、前記制御回路は、前記露光ランプの最大光量での点灯の立ち上がり時には、前記電流検出手段により検出された入力電流のデータに基づいて、前記点灯パルス休止期間を最大光量での点灯パルス休止期間より長くする制御を行うことを特徴とする。
【００１３】
また、請求項４記載の発明は、請求項２又は３に記載の画像読取装置において、前記制御回路は、前記露光ランプの点灯立ち上がり時以降は、前記電流検出手段により検出される入力電流のデータが一定の値となるように、前記点灯パルス休止期間を変更する制御を行うことを特徴とする。
【００１４】
また、請求項５記載の発明は、請求項１から４のいずれか１項に記載の画像読取装置において、前記制御回路は、前記電流検出手段により検出された入力電流のデータに基づいて、前記点灯パルス休止期間を数段階にわたって変更する制御を行うことを特徴とする。
【００１５】
また、請求項６記載の発明は、請求項１から５のいずれか１項に記載の画像読取装置において、前記制御回路は、前記電流検出手段により検出された入力電流のデータと予め設定された入力電流の目標値との比較結果に基づいて、前記点灯パルス休止期間を切り換える制御を行うことを特徴とする。
【００１６】
また、請求項７記載の発明は、請求項１から５のいずれか１項に記載の画像読取装置において、前記制御回路は、前記電流検出手段により検出された入力電流のデータと予め設定された入力電流の目標値とから求められた差分に基づいて、前記差分に対応する前記点灯パルス休止期間を演算する制御を行うことを特徴とする。
【００１７】
また、請求項８記載の発明は、請求項１から７のいずれか１項に記載の画像読取装置において、前記制御回路は、前記光電変換素子の１ライン読取中の有効画像領域以外の領域において、前記点灯パルス休止期間を変更する制御を行うことを特徴とする。
【００１８】
また、請求項９記載の発明は、請求項１から８のいずれか１項に記載の画像読取装置において、前記電流検出手段により検出される入力電流のデータが安定してから原稿の読取りを開始することを特徴とする。
【００１９】
また、請求項１０記載の発明は、請求項１から９のいずれか１項に記載の画像読取装置を搭載した画像形成装置である。
【発明の効果】
【００２０】
本発明によれば、同じランプを使用する場合でも、必要光量の異なる装置システムに対応することができ、ランプの温度特性に起因した光量変動に対して効率的で安定した光量調整が可能な画像読取装置及び画像形成装置が実現される。
【発明を実施するための最良の形態】
【００２１】
図面を参照しながら、本発明を実施するための最良の形態について説明する。
【００２２】
図１は、本実施形態の画像読取装置の全体構成図である。
【００２３】
まず、スキャナ本体に関する構成の説明を行う。原稿台ガラス８上に置かれた原稿は、照明ランプ２から放射され、第１ミラー３により反射した高周波パルス光により照射される。第１ミラー３及び照明ランプ２は、第１キャリッジ３１に搭載されており、原稿台下部を移動しながら副走査を行う。原稿からの反射光は、第１ミラー３、並びに第２キャリッジ３２に搭載された第２ミラー５及び第３ミラー４で走査され、レンズ１により集束され、ＣＣＤ（Charge Coupled Devices）が搭載されたＳＢＵ（Sensor Board Unit）１０に照射されることにより、ライン単位で電気信号に光電変換される。第１ミラー３及び照明ランプ２を搭載する第１キャリッジ３１、並びに第２ミラー５及び第３ミラー４を搭載する第２キャリッジ３２は、スキャナモータ９を駆動源として、キャリッジホーム位置から最大走査領域方向（図左右方向）に移動可能となっている。
【００２４】
次に、ＡＲＤＦ（Automatic Recirculating Document Feeder：自動両面原稿搬送装置）部に関する構成の説明を行う。本実施形態におけるＡＲＤＦは、片面読取動作及び両面読取動作の選択が可能である。以下、片面読取動作、両面読取動作の順に述べる。
【００２５】
片面読取を選択した場合には、原稿台１１の原稿ガイド１２に沿って積載された原稿は、呼出しコロ１４、搬送コロ１５、給紙ベルト１６、分離コロ１７、及び第１搬送ローラ１８によりＤＦ（Document Feeder）用原稿ガラス６と反射ガイド板２０との間の読取位置を経て、第２搬送ローラ２１及び排紙ローラ２３へ送り込まれ、原稿が排出される。ＤＦ用原稿ガラス６の手前にはレジストセンサ１９が配置されており、該センサにより原稿の先端及び後端が読取位置へ到達するタイミングを検知できる。
【００２６】
一方、両面読取を選択した場合には、まず原稿の表面の読取りを上記の片面読取時と同様に実施する。原稿の表面の読取りに関して説明を行う。呼出しコロ１４、搬送コロ１５、給紙ベルト１６、分離コロ１７、及び第１搬送ローラ１８によりＤＦ用原稿ガラス６と反射ガイド板２０との間の読取位置を経て、第２搬送ローラ２１及び排紙ローラ２３へ送り込まれ、原稿を排出せずに、分岐爪２４が下方へ切り換えられて反転ローラ２５により反転テーブル２６上へ移送される。原稿の後端が排紙ローラ２３を抜けた後に分岐爪２４が上方へ切り換えられ、一旦、反転ローラ２５が停止する。
【００２７】
続いて、原稿の裏面の読取りに関して説明を行う。一旦、停止していた反転ローラ２５を上記とは逆方向へ回転させることにより、原稿が反転テーブル２６から第１搬送ローラ１８の方向へ搬送され、さらに第１搬送ローラ１８を経て、表面と同様にＤＦ用原稿ガラス６と反射ガイド板２０との間の読取位置を経て、第２搬送ローラ２１及び排紙ローラ２３へ送り込まれ、その後、原稿が排出される。原稿は、表面及び裏面の読取りともに、ＤＦ用原稿ガラス６と反射ガイド板２０との間の読取位置を通過する際に、読取位置の近傍に停止されている照明ランプ２により照射され、その反射光は、第１ミラー３、並びに一体に構成された第２ミラー５及び第３ミラー４で走査される。
【００２８】
以下、原稿台の場合と同様に光電変換される。また、ＡＲＤＦの呼出しコロ１４、搬送コロ１５、給紙ベルト１６、分離コロ１７の給紙機構は、給紙モータ（図示せず）により駆動されている。そして、第１搬送ローラ１８、第２搬送ローラ２１、排紙ローラ２３、反転ローラ２５の搬送機構は、搬送モータ（図示せず）により駆動されている。さらに、ＡＲＤＦには、原稿を検知するために原稿台１１へ原稿がセットされているか否かを検知するセットセンサ１３、原稿サイズを検知するための幅サイズ検知基板２８、第１原稿長さセンサ２９及び第２原稿長さセンサ３０、原稿の後端を検知するための原稿後端センサ２７が搭載されている。また、スキャナ本体には、スキャナ本体及びＡＲＤＦを含めたカラー画像読取装置の動作制御を行うＳＣＵ（System Control Unit）７が搭載されている。
【００２９】
図２は、本実施形態の画像読取装置の全体ブロック図である。また、図３は、図２におけるＳＢＵ、ＶＩＯＢ（Video In/Out Board）、ＳＣＵ等の制御ブロックの内部構成を示したブロック図である。以下、これらの図面を参照して制御ブロックの構成について説明する。
【００３０】
ＳＢＵ１０上のＣＣＤ１００に入光した原稿の反射光は、ＣＣＤ内で光の強度に応じた電圧値を持つアナログ信号に変換され、奇数ビットと偶数ビットに分かれて出力される。上記ＳＢＵ１０のアナログ画像信号は、ＶＩＯＢ３３上のアナログ処理回路１０１にて暗電位部分が取り除かれ、奇数ビットと偶数ビットが合成され、所定の振幅にゲイン調整された後にＡ／Ｄコンバータ１０２に入力されてデジタル信号化される。
【００３１】
デジタル化された画像信号は、シェーディング部１０３によりシェーディング補正され、ＶＩＯＢ３３からＳＣＵ７上のＩＰＵ（Image Processing Unit）１０４で、ガンマ補正、ＭＴＦ（Modulation Transfer Function）補正等の画像処理が行われた後、同期信号画像クロックとともにビデオ信号として、画像データ記憶手段であるＳＤＲＡＭ（Synchronous DRAM）１０６を管理するメモリコントローラ１０５に入力され、ＳＤＲＡＭ１０６で構成される画像メモリに蓄えられる。画像メモリに蓄えられた画像データは、外部Ｉ／Ｆドライバ１０７に送られ、パソコンやプリンタ等の外部出力装置１２０へ転送される（本実施形態における外部Ｉ／Ｆドライバーは、ＳＣＳＩ（Small Computer System Interface）、ＩＥＥＥ（Institute of Electrical and Electronic Engineers）１３９４、ＬＡＮ等ドライバーやローカルＶｉｄｅｏ信号等を総称して記載している）。
【００３２】
ＳＣＵ７上には、ＣＰＵ１０８、ＲＯＭ１０９、ＲＡＭ１１０、及びモータドライバ１１２が実装されており、ＣＰＵ１０８は、スキャナ本体のステッピングモータであるスキャナモータ９、ＡＲＤＦの給紙モータ（図示せず）、搬送モータ（図示せず）のタイミング制御も行っている。ＡＤＵ４２は、ＡＲＤＦ部に用いる電装部品の電力供給を中継する機能を有している。ＳＣＵ７上のＣＰＵ１０８に接続されている入力ポートは、ＶＩＯＢ３１を介して本体操作パネルであるＳＯＰ４３に接続されている。本体操作パネルＳＯＰ４３上には、スタートスイッチ（図示せず）と停止スイッチ（図示せず）が実装されている。それぞれのスイッチが押下されると入力ポートを介してＣＰＵ１０８はスイッチがオンされたことを検出する。
【００３３】
図４は、本実施形態におけるランプ安定器の構成を示したブロック図である。
【００３４】
同期点灯の場合には、各ラインの読取開始タイミングを規定するＴＧ−ＩＮＶ１４２（ライン同期信号）、ＣＬＫ１４５（クロック信号）、ＣＮＴ１４３（コントロール信号）、及びＧＡＴＥ１４４（ゲート信号）が入力されると、点灯制御部１３５が動作するとともに、インバータ回路１３１を制御する。インバータ回路１３１からの出力は、昇圧トランス１３２を経由してランプ１３３に印加される。なお、ＣＮＴ１４３はランプのオン／オフ制御信号であり、ＧＡＴＥ１４４はランプ休止期間の制御信号である。入力電流を検出する電流検出部１３４は、＋２４Ｖの直流電流１４０を生成する定電圧電源１３０と接続されて設けられ、電流検出部１３４からＩ−ＩＮＶ（インバータ入力電流信号）１４６が出力される。
【００３５】
図５は、本実施形態におけるインバータ回路と点灯制御部の内部構成の一例を示した回路図である。
【００３６】
まず、ＣＮＴ１４３がＨｉｇｈレベルのときに、ＴＲ１がオンし、インバータ制御用ＩＣである第１ＩＣ１３６に電力が供給される。第１ＩＣ１３６は、スイッチング素子ＦＥＴ１を駆動するためのドライバを内蔵しており、ＣＬＫ１４５に応じて所定の周期で発振し、発振パルスにより内臓ドライバを駆動する。そして、内臓ドライバの出力により、スイッチング素子ＦＥＴ１が駆動される。駆動信号によりスイッチング素子ＦＥＴ１がオンになると、定電圧電源１３０→昇圧トランス１３２の一次側巻線→スイッチング素子ＦＥＴ１の経路で電流が流れ、昇圧トランス１３２にエネルギーが蓄えられる。
【００３７】
そして、スイッチング素子ＦＥＴ１がＯＦＦになると、昇圧トランス１３２に流れていた電流が遮断され蓄えられていたエネルギーが放出され、昇圧トランス１３２の一次側、二次側に急峻な立ち上がりを有する電圧波形が発生する。この電圧波形は時間の経過とともに減衰し、次にスイッチング素子ＦＥＴ１がオンになった後オフになると、前記と同様に再び急峻な立ち上がりを有する電圧波形が発生する。すなわち、スイッチング素子ＦＥＴ１をオン／オフするたびに再び急峻な立ち上がりを有する電圧波形が発生し、ランプ１３３に電流が繰り返して流れ、ランプが点灯し光が放出される。また、第１ＩＣ１３６は、ＧＡＴＥ１４４が入力される期間は出力を停止する。
【００３８】
図６及び図７は、本実施形態における制御信号のタイミングチャートである。
【００３９】
図６は、ＣＮＴ（コントロール信号：ランプのＯＮ／ＯＦＦ制御信号）とＴＧ−ＩＮＶ（ライン同期信号）のタイミングを示したもので、ＣＮＴとは別に点灯周波数の位相同期をとる目的でＴＧ−ＩＮＶを供給する。なお、ＣＮＴとＴＧ−ＩＮＶは非同期で供給し、ＣＮＴのオン／オフは任意の時間とする。
【００４０】
図７は、ＴＧ−ＩＮＶ（ライン同期信号）、ＧＡＴＥ（ゲート信号）及びＣＬＫ（クロック信号）と、インバータ出力（光波形）のタイミングを示したものである。Ｔ１及びＴ２が休止期間で、必要原稿面照度に応じてこの休止期間を設けることにより、１ライン当りの点灯パルス数を任意の値に設定することができる。また、ＧＡＴＥを制御してランプ休止期間の終了タイミングを切り換え、ＣＬＫを制御してランプ点灯パルス発生タイミングを切り換えることにより、主走査方向のランプ点灯パルス発生タイミングを任意に制御することができる。
【００４１】
図８は、本実施形態におけるランプ点灯制御の制御回路の構成を示すブロック図で、図９は、図８の回路の動作手順を示したフローチャートである。なお、インバータ回路、電流検出部等は、先に述べたものと同様の動作を行う。
【００４２】
図８に示した制御回路は、光源（ランプ）２０１、光源２０１を点灯するためのインバータ回路２０２、入力電流を検出する電流検出部２０３、電流検出部からの出力をアナログ／デジタル変換するＡ／Ｄ部２０４、入力電流データと目標電流データを比較する電流データ比較部２０５、及び１ライン中の休止期間を切り換える休止期間切換部２０６から構成される。以下、動作手順について述べる。
【００４３】
まず、本体制御部（図示せず）からのランプ点灯信号により、点灯周波数ｆ、１ライン中の休止期間ｔ１で光源２０１を点灯する（ステップＳ１０１）。次に、電流検出部２０３からの出力をＡ／Ｄ部２０４にてアナログ／デジタル変換して電流のデジタルデータを取得する（ステップＳ１０２）。そして、該デジタルデータを電流データ比較部２０５に入力し、入力された電流データと予め設定してある電流目標値とを比較し（ステップＳ１０３）、目標値と電流データが等しくない場合は（ステップＳ１０３／ＮＯ）、再度電流データを取得する（ステップＳ１０２）。
【００４４】
他方、目標値と電流データが等しくなった場合は（ステップＳ１０３／ＹＥＳ）、休止期間切換部２０６により、インバータに入力されている休止期間をｔ１→ｔ０へ切り換えて変更してから（ステップＳ１０４）、コピー動作に入り（ステップＳ１０５）、コピー動作が終了した後に光源２０１を消灯する（ステップＳ１０６）。
【００４５】
従来のランプでは、図１２に示すように、ランプ立ち上がり時にはランプ光量（ＣＣＤ出力）が一定になるまでに時間がかかっていたが、上記フローのように、電流検出部からの電流データを用いて、点灯時の休止期間ｔ１及び目標値一致後の休止期間ｔ０にランプの休止期間を切り換えることで、図１３に示すように、立ち上がり時のランプ光量立ち上がりを早くし、従来よりも早くランプ光量（ＣＣＤ出力）を安定させることができる。
【００４６】
図１０は、図８の制御回路の変形例を示すブロック図で、図１１は、図１０の回路の動作手順を示したフローチャートである。図１０が示す図８の変形例は、休止期間切換部２０６に代えて休止期間演算部２０７としたものである。以下、動作手順について述べる。
【００４７】
まず、本体制御部（図示せず）からのランプ点灯信号により光源２０１を点灯する（ステップＳ２０１）。次に、電流検出部２０３からの出力をＡ／Ｄ部２０４にてアナログ／デジタル変換してデジタルデータを取得する（ステップＳ２０２）。そして、取得された電流データを電流データ比較部２０５に入力して、入力された電流データと予め設定してある電流目標値とを比較し（ステップＳ２０３）、目標値と電流データが等しくない場合は（ステップＳ２０３／ＮＯ）、目標値との差分を演算して次段の休止期間演算部２０７に送られる。休止期間演算部２０７で算出された結果に基づいて、インバータ回路２０２に入力しているＣＬＫの休止期間を変更し、変更後のＣＬＫをインバータ回路２０２へ送出してランプ光量を変更し、再度電流データを取得する（ステップＳ２０４、Ｓ２０２）。当該動作は目標値と等しくなるまで繰り返される。
【００４８】
他方、目標値と電流データが等しくなった場合は（ステップＳ２０３／ＹＥＳ）、コピー動作に入り（ステップＳ２０５）、コピー動作終了後にランプが消灯される（ステップＳ２０６）。当該動作はランプ点灯時に行うものとする。
【００４９】
なお、休止期間演算部では、図１５に示すように予めＲＯＭ（制御ブロック図参照）に格納されたプログラムに基づき、次の休止期間が算出され決定される。ここで、電流データ比較部と休止期間演算部について、もう少し詳しく説明する。
【００５０】
点灯中の休止期間と光源発光量については、温度因子を除けば、休止期間が減少すると光源発光量が増加し、休止期間が増加すると光源発光量が減少するという関係が成り立つ。ここで、休止期間の変更を行うに際して、予めＲＯＭ（制御ブロック図参照）に格納されたプログラムを用意しておく。
【００５１】
電流検出部から電流データを取得して、アナログ／デジタル変換された後の値の狙い値をα、実測値をβとする。そして、α−βを演算し、狙い値に対する差分Δβを求める。
Δβ＝α−β
このΔβのテーブルを図１５に示す。テーブルには各Δβ（各数値は＊＊以上）に対する選択する休止期間変更量Δｔ（μｓ）が決められている。
【００５２】
例えば、Δβ＝０．１５であると、テーブル内Ｎｏ．６の０．１に対応する値、Δｔ＝−１．０μｓが選択され、現在の休止期間がｔ＝４．０μｓであるときにｔ＋Δｔ＝３．０μｓとなり、休止期間を減少して光源発光を増やすことが可能である。一方、Δβ＝−０．２６であると、テーブル内Ｎｏ．２の−０．３に対応する値、Δｔ＝３．０μｓが選択され、現在の休止期間がｔ＝４．０μｓであるときにｔ＋Δｔ＝７．０μｓとなり、休止期間を増加して光源発光を減らすことが可能となる。
【００５３】
従来のランプでは、ランプの温度特性に起因して、高い光量で調整してあるランプを低い光量で点灯させると、必要光量に対して徐々に光量が上昇していく不具合があり、ランプ立ち上がり時には、図１２に示すようにランプ光量立ち上がりが遅く、ランプ光量（ＣＣＤ出力）が一定になるまでに時間がかかっていた。しかし、上記フローのように、ランプの点灯ＣＬＫの休止期間を制御することで、図１３に示すように、ランプ点灯時のランプ光量立ち上がりが早くなり、従来よりも早期にランプ光量（ＣＣＤ出力）を安定させることができる。また、図１４に示すように、１ライン中の点灯パルスの休止期間を数段階に変更することにより、スムーズにランプ光量を変更することが可能となる。
【００５４】
また、ランプの温度特性に起因して、低い光量で調整してあるランプを高い光量で点灯させると、必要光量に対しオーバーシュートが大きくなり、またオーバーシュートが治まり光量が安定するまで時間がかかるという不具合が生じていた。また、ランプ立ち上がり時には、図１６に示すように、オーバーシュートが発生してランプ光量（ＣＣＤ出力）が一定になるまでに時間がかかっていた。しかし、上記フローのように、ランプの点灯ＣＬＫの休止期間を制御することで、図１７に示すように、ランプ点灯時のオーバーシュートが解消され、従来よりも早くランプ光量（ＣＣＤ出力）を安定させることができる。また、図１８に示すように、１ライン中の点灯パルスの休止期間を数段階に変更することにより、スムーズにランプ光量を変更することが可能となる。
【００５５】
図１９は、ＣＣＤ出力の電気信号処理部での信号変更処理を示したタイミングチャートである。図１９では、ＣＣＤ読取１ライン中の有効画素領域以外のＤＵＭＭＹ画素領域で、上記で説明した１ライン中の点灯パルスの休止期間を変更するタイミングを表している。これは、有効画素領域で上記信号を変更した場合には原稿読取画像データに影響が出てしまうため、有効画素領域での信号変更処理を行わないように制御していることによる。
【００５６】
なお、電流検出部からの電流データは露光ランプの光量と相関があり、電流データが安定するとランプ光量も安定するため、濃度ムラを軽減するために電流データが安定してから画像読取りを開始するようにしている。
【００５７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５８】
上記の実施形態によれば、電流検出手段からのデータに基づいて、露光ランプ点灯時にインバータに入力している点灯パルス休止期間を制御回路部から変更し、露光ランプの光量を変更することによって、同じ露光ランプ（インバータ含む）を使用して光量を可変できるようにすることが可能となる。
【００５９】
また、上記の実施形態によれば、電流検出手段からのデータに基づいて、露光ランプの最小光量での点灯の立ち上がり時には、制御回路部からの点灯パルス休止期間を最小光量での点灯パルス休止期間より短くするように制御することによって、露光ランプ立ち上がり時の立ち上がり時間を早くし、光量を早期に安定させることが可能となる。
【００６０】
また、上記の実施形態によれば、露光ランプの点灯立ち上がり時に電流検出手段からのデータが一定の値になるように、点灯パルス休止期間を変更することによって、光量を早期に安定させることが可能となる。
【００６１】
また、上記の実施形態によれば、露光ランプ立ち上がり時の点灯パルス休止期間の変更は、電流検出手段からのデータに基づいて、数段階分割して変更していくことによって、スムーズな光量変更が可能となる。
【００６２】
また、上記の実施形態によれば、露光ランプの最大光量での点灯の立ち上がり時には、電流検出手段からのデータに基づいて、制御回路部からの点灯パルス休止期間を最大光量での点灯パルス休止期間より長くするように制御することで、オーバーシュートをなくし、光量を早期に安定させることが可能となる。
【００６３】
また、上記の実施形態によれば、露光ランプの光量変更は、電流検出手段からのデータに基づいて、前記制御部からの点灯パルス休止期間を変更することにより、光量を早期に安定させることが可能となる。
【００６４】
また、上記の実施形態によれば、露光ランプの点灯立ち上がり時以降は、電流検出手段からのデータが一定の値になるように、点灯パルス休止期間を変更することによって、光量を安定させることが可能となる。
【００６５】
また、上記の実施形態によれば、露光ランプ立ち上がり時の点灯パルス休止期間を数段階分割して変更していくことで、よりスムーズな光量変更が可能となる。
【００６６】
また、上記の実施形態によれば、休止期間の変更タイミングについて、画像読取１ライン中の有効画像領域以外で変更するように制御しているので、有効な画像データに影響が出ないようにすることが可能となる。
【００６７】
また、上記の実施形態によれば、電流検出手段からのデータが安定してから読取りを開始するように制御しているので、濃度ムラを軽減することが可能となる。
【図面の簡単な説明】
【００６８】
【図１】本発明の実施形態に係る画像読取装置の全体構成図である。
【図２】本発明の実施形態に係る画像読取装置の全体ブロック図である。
【図３】本発明の実施形態に係る画像形成装置における制御ブロックの内部構成を示したブロック図である。
【図４】本発明の実施形態に係る画像形成装置におけるランプ安定器の構成を示したブロック図である。
【図５】本発明の実施形態に係る画像形成装置におけるインバータ回路と点灯制御部の内部構成を示した回路図である。
【図６】本発明の実施形態における制御信号のタイミングチャートである。
【図７】本発明の実施形態における制御信号のタイミングチャートである。
【図８】本発明の実施形態におけるランプ点灯制御の制御回路の構成を示すブロック図である。
【図９】本発明の実施形態におけるランプ点灯制御回路の動作手順を示したフローチャートである。
【図１０】本発明の実施形態におけるランプ点灯制御の制御回路の構成を示すブロック図である。
【図１１】本発明の実施形態におけるランプ点灯制御回路の動作手順を示したフローチャートである。
【図１２】従来のランプ立ち上がり時の時間とＣＣＤ出力との関係を示した図である。
【図１３】本発明の実施形態におけるランプ立ち上がり時の時間とＣＣＤ出力との関係を示した図である。
【図１４】本発明の実施形態におけるランプ立ち上がり時の時間とＣＣＤ出力との関係を示した図である。
【図１５】本発明の実施形態における休止期間演算に用いるデータテーブルの例を示した図である。
【図１６】従来のランプ立ち上がり時の時間とＣＣＤ出力との関係を示した図である。
【図１７】本発明の実施形態におけるランプ立ち上がり時の時間とＣＣＤ出力との関係を示した図である。
【図１８】本発明の実施形態におけるランプ立ち上がり時の時間とＣＣＤ出力との関係を示した図である。
【図１９】本発明の実施形態におけるＣＣＤ出力の電気信号処理部での信号変更処理を示したタイミングチャートである。
【符号の説明】
【００６９】
２，１３３    照明ランプ（キセノンランプ）
７    ＳＣＵ（System Control Unit）
１０    ＳＢＵ（Sensor Board Unit）
３３    ＶＩＯＢ（Video In/Out Board）
１００    ＣＣＤ
１１４    ランプ安定器
１０１    アナログ処理回路
１０２    Ａ／Ｄコンバータ
１０３    シェーディング部
１０４    ＩＰＵ（Image Processing Unit）
１０５    メモリコントローラ
１０６    ＳＤＲＡＭ（Synchronous DRAM）
１０７    外部Ｉ／Ｆドライバ
１０８    ＣＰＵ
１０９    ＲＯＭ
１１０    ＲＡＭ
１１１    ＮＶＲＡＭ
１１２    モータドライバ
１２０    外部出力装置
１３０    定電圧電源
１３１，２０２    インバータ回路
１３２    昇圧トランス
１３４，２０３    電流検出部
１３５    点灯制御部
１３６    第１ＩＣ
１４２    ＴＧ−ＩＮＶ（ライン同期信号）
１４３    ＣＮＴ（コントロール信号）
１４４    ＧＡＴＥ（ゲート信号）
１４５    ＣＬＫ（クロック信号）
１４６    Ｉ−ＩＮＶ（インバータ入力電流信号）
２０１    光源
２０４    Ａ／Ｄ部
２０５    電流データ比較部
２０６    休止期間切換部
２０７    休止期間演算部
【図１】
2008070479.tif 000003
【図２】
2008070479.tif 000004
【図３】
2008070479.tif 000005
【図４】
2008070479.tif 000006
【図５】
2008070479.tif 000007
【図６】
2008070479.tif 000008
【図７】
2008070479.tif 000009
【図８】
2008070479.tif 000010
【図９】
2008070479.tif 000011
【図１０】
2008070479.tif 000012
【図１１】
2008070479.tif 000013
【図１２】
2008070479.tif 000014
【図１３】
2008070479.tif 000015
【図１４】
2008070479.tif 000016
【図１５】
2008070479.tif 000017
【図１６】
2008070479.tif 000018
【図１７】
2008070479.tif 000019
【図１８】
2008070479.tif 000020
【図１９】
2008070479.tif 000021